(57)【要約】【課題】複数のカーメーカーが提供する車両の中から特定の主要装備を搭載しているまたは搭載可能な車種を簡単に知ることができる車両の提案方法を提供する。【解決手段】車両の提案方法は、複数の車種と、車種毎に設定されたグレードと、グレード毎に搭載された主要装備と搭載可能な主要装備とが登録されたグレードデータベースを用いる。車両の提案方法は、購入予定者が選択した一つ以上の主要装備を示す信号を端末から取得し、データベースから、選択された主要装備が搭載されたまたは搭載可能な一つ以上のグレードを特定し、特定されたグレードを含む車種を示す信号を端末に出力する。【選択図】図２
2020035164.tif 000002
【特許請求の範囲】
【請求項１】
複数のカーメーカーから提供される複数の車種と、前記車種毎に設定されたグレードと、前記グレード毎に搭載された主要装備と搭載可能な主要装備とが登録されたグレードデータベースを用いた、車両の提案方法であって、
購入予定者が選択した一つ以上の前記主要装備を示す信号を端末から取得し、
前記グレードデータベースから、選択された前記主要装備が搭載されたまたは搭載可能な一つ以上の前記グレードを特定し、
特定された前記グレードを含む前記車種を示す信号を前記端末に出力する、車両の提案方法。
【請求項２】
前記グレードデータベースには車両価格が登録されており、
購入予定者が予定しているリース期間を取得し、
特定された前記グレードを含む前記車種に含まれる各々の前記グレードの前記車両価格のうちから最安値を前記車種毎に特定し、
前記最安値と前記リース期間とから所定期間に要するリース代金を算出し、
特定された前記グレードを含む前記車種と前記リース代金とを示す信号を前記端末に出力する、請求項１に記載の車両の提案方法。
【請求項３】
前記端末に、前記車種と、前記車種に属する一つ以上の前記グレードとを示す信号を出力する、請求項１に記載の車両の提案方法。
【請求項４】
前記端末に出力する一つ以上の前記グレードは、前記購入予定者が選択した前記主要装備が搭載されていないまたは搭載不可能な前記グレードを含んでいる、請求項３に記載の車両の提案方法。
【請求項５】
前記グレードデータベースには、前記グレードの表示順位が登録されており、
前記端末には、前記表示順位に従って所定の数の前記グレードを示す信号が出力される、請求項３に記載の車両の提案方法。
【請求項６】
前記端末に、前記車種と、前記車種に属する一つ以上の前記グレードと、前記グレードに搭載される前記主要装備および搭載可能な前記主要装備を出力する、請求項３に記載の車両の提案方法。
【請求項７】
前記グレードデータベースには車両価格が登録されており、
購入予定者が予定しているリース期間を取得し、
前記端末に、前記車種と、前記車種に属する一つ以上の前記グレードと、前記グレードの前記車両価格と前記リース期間とから算出したリース代金とを示す信号を出力する、請求項３に記載の車両の提案方法。
【請求項８】
前記グレードデータベースには、搭載可能な前記主要装備を搭載する際の搭載価格が登録されており、
前記端末に、前記車種と、前記車種に属する一つ以上の前記グレードと、前記リース代金と、前記搭載価格と前記リース期間とから算出される加算料金を示す信号を出力する、請求項７に記載の車両の提案方法。
【請求項９】
購入予定者の氏名および住所を取得し、
前記購入予定者が見積もりを希望する前記グレードを取得し、
見積もりを希望する前記グレードと前記購入予定者の氏名および住所と前記グレードデータベースを用いて、見積もりを出力する、請求項１に記載の車両の提案方法。
【請求項１０】
複数のメーカーから提供される複数の車種と、前記車種毎に設定されたグレードと、前記グレード毎に搭載された主要装備と搭載可能な主要装備とが登録されたグレードデータベースが記録された記録装置と、
購入予定者が選択した一つ以上の主要装備を示す信号を端末から取得する取得部と、
前記グレードデータベースから、選択された主要装備が搭載されたまたは搭載可能な一つ以上の前記グレードを特定する特定部と、
特定された前記グレードを含む前記車種を示す信号を前記端末に出力する出力部と、を備えた車両の提案装置。
【請求項１１】
複数のメーカーから提供される複数の車種と、前記車種毎に設定されたグレードと、前記グレード毎に搭載された主要装備と搭載可能な主要装備とが登録されたグレードデータベースを用いた、車両の提案システムであって、
購入予定者が選択した一つ以上の主要装備を示す信号を端末から取得し、
前記グレードデータベースから、選択された主要装備が搭載されたまたは搭載可能な一つ以上の前記グレードを特定し、
特定された前記グレードを含む前記車種を示す信号を前記端末に出力する、車両の提案システム。
【請求項１２】
複数のメーカーから提供される複数の車種と、前記車種毎に設定されたグレードと、前記グレード毎に搭載された主要装備と搭載可能な主要装備とが登録されたグレードデータベースと、コンピュータ可読命令を実行可能なプロセッサと、コンピュータ可読命令を記録するメモリとを用いた、車両の提案方法を実行するプログラムであって、
前記プログラムは、前記プロセッサによって実行されると、
購入予定者が選択した一つ以上の主要装備を示す信号を端末から取得させ、
前記グレードデータベースから、選択された主要装備が搭載されたまたは搭載可能な一つ以上の前記グレードを特定させ、
特定された前記グレードを含む前記車種を示す信号を前記端末に出力させる、車両の提案プログラム。
【発明の詳細な説明】
【技術分野】
【０００１】
本発明は、車両の提案方法、提案装置、提案システムおよびプログラムに関する。
【背景技術】
【０００２】
特許文献１などによりリースにより車両を提供することが提案されている。
【先行技術文献】
【特許文献】
【０００３】
【特許文献１】特開2003-108812号公報
【発明の概要】
【発明が解決しようとする課題】
【０００４】
カーメーカーのディーラーによる販売とは異なり、リース販売においては、あらゆるカーメーカーの車両を顧客に販売することができる。このため、リース販売員には、あらゆるカーメーカーのあらゆる車種あらゆるグレードについての知識が求められる。
【０００５】
近年においては、オートクルーズ機能やレーンキープ機能、ハイビームアシスト機能など様々な主要装備が開発されている。購入予定者は、これらの主要装備の有無によって車種およびグレードを選ぶケースも増えてきている。このため、購入予定者が特定の主要装備がある車種およびグレードを紹介してほしいとリース販売員に問い合わせることになる。しかしながらこのような要望に速やかにリース販売員が応えることは難しい。
【０００６】
カーメーカーは多くの車種を提供しており、その車種毎に主要装備の異なる複数のグレードを設定しており、教育の行き届いたリース販売員であっても、あらゆるカーメーカーの車種情報についてはまだしも、あらゆるグレードについてまで覚えておくことは不可能であるためである。さらに、同じような目的を果たす主要装備であっても、カーメーカー毎にその主要装備の名称が異なることがある。このような理由からも、リース販売員にとっては、主要装備が搭載された車種を即座に購入予定者に回答することが難しい。このような観点で、本発明者は、新車の商談の機会を逸していることがあるのではないかと考えた。
【０００７】
そこで本発明は、複数のカーメーカーが提供する車両の中から特定の主要装備を搭載しているまたは搭載可能な車種を簡単に知ることができる車両の提案方法を提供することを目的とする。
【課題を解決するための手段】
【０００８】
上記目的を達成するために、本発明によれば以下が提供される。
複数のカーメーカーから提供される複数の車種と、前記車種毎に設定されたグレードと、前記グレード毎に搭載された主要装備と搭載可能な主要装備とが登録されたグレードデータベースを用いた、車両の提案方法であって、
購入予定者が選択した一つ以上の前記主要装備を示す信号を端末から取得し、
前記グレードデータベースから、選択された前記主要装備が搭載されたまたは搭載可能な一つ以上の前記グレードを特定し、
特定された前記グレードを含む前記車種を示す信号を前記端末に出力する、車両の提案方法。
【０００９】
また上記目的を達成するために、本発明によれば以下が提供される。
複数のメーカーから提供される複数の車種と、前記車種毎に設定されたグレードと、前記グレード毎に搭載された主要装備と搭載可能な主要装備とが登録されたグレードデータベースが記録された記録装置と、
購入予定者が選択した一つ以上の主要装備を示す信号を端末から取得する取得部と、
前記グレードデータベースから、選択された主要装備が搭載されたまたは搭載可能な一つ以上の前記グレードを特定する特定部と、
特定された前記グレードを含む前記車種を示す信号を前記端末に出力する出力部と、を備えた車両の提案装置。
【００１０】
また上記目的を達成するために、本発明によれば以下が提供される。
複数のメーカーから提供される複数の車種と、前記車種毎に設定されたグレードと、前記グレード毎に搭載された主要装備と搭載可能な主要装備とが登録されたグレードデータベースを用いた、車両の提案システムであって、
購入予定者が選択した一つ以上の主要装備を示す信号を端末から取得し、
前記グレードデータベースから、選択された主要装備が搭載されたまたは搭載可能な一つ以上の前記グレードを特定し、
特定された前記グレードを含む前記車種を示す信号を前記端末に出力する、車両の提案システム。
【００１１】
また上記目的を達成するために、本発明によれば以下が提供される。
複数のメーカーから提供される複数の車種と、前記車種毎に設定されたグレードと、前記グレード毎に搭載された主要装備と搭載可能な主要装備とが登録されたグレードデータベースと、コンピュータ可読命令を実行可能なプロセッサと、コンピュータ可読命令を記録するメモリとを用いた、車両の提案方法を実行するプログラムであって、
前記プログラムは、前記プロセッサによって実行されると、
購入予定者が選択した一つ以上の主要装備を示す信号を端末から取得させ、
前記グレードデータベースから、選択された主要装備が搭載されたまたは搭載可能な一つ以上の前記グレードを特定させ、
特定された前記グレードを含む前記車種を示す信号を前記端末に出力させる、車両の提案プログラム。
【発明の効果】
【００１２】
本発明によれば、複数のカーメーカーが提供する車両の中から特定の主要装備を搭載しているまたは搭載可能な車種を簡単に知ることができる車両の提案方法、装置、システムおよびプログラムが提供される。
【図面の簡単な説明】
【００１３】
【図１】本実施形態に係る車両の提案システムの模式図である。
【図２】本実施形態に係る車両の提案方法のフローチャートである。
【図３】グレードデータベースを示す図である。
【図４】主要装備としてオートライトとスマートエントリーとを選択した場合にグレードデータベースから抽出される検索結果を示す。
【図５】主要装備としてオートライトとスマートエントリーとが選択された場合に端末に表示する表示例である。
【図６】車種ＡＡＡに含まれるグレードについて表示順位の高い順に３つのグレードを表示する表示例である。
【図７】見積もり作成画面を示す。
【図８】購入申し込み用の画面を示す。
【発明を実施するための形態】
【００１４】
以下、本発明の実施形態を図面に基づいて、より詳細に説明する。
図１は、本実施形態に係る車両の提供方法を実施するシステム１の模式図である。図１に示すように、システム１は、メインサーバ１０と、データサーバ２０と、リース販売員が操作する複数の端末３０とを有している。メインサーバ１０は、プロセッサ１１と、プロセッサ１１により実行されるコンピュータ可読命令を記録する記憶手段とを有している。メインサーバ１０は、単一のサーバで構成してもよいし、複数のサーバで構成してもよい。メインサーバ１０は、後述するグレードデータベースを記録するデータサーバ２０と接続されている。メインサーバ１０のプロセッサ１１は、記録手段１２から読み出したコンピュータ可読命令に従って、後述する車両の提案方法を実行する。
【００１５】
メインサーバ１０は、リース販売員が操作する複数の端末３０とネットワークやＬＡＮ（Local Area Network）を介して接続されている。本実施形態において、端末３０は、リース販売店や、リース販売業務を行うサービスステーションに設置されている。リース販売員は、車両のリースを希望する購入予定者に対して、端末３０を用いて車両の選択を支援する。リース販売員は、端末３０から購入予定者の希望する車種やグレードの情報を受け取り、この情報を使って購入予定者に最適な車両を伝える。あるいは、リース販売員は購入予定者に端末を使ってもらい、購入予定者に最適な車両を探してもらう。なお本実施形態において、リースに供する車両は新車である。
【００１６】
図２は、メインサーバ１０が実行する車両の提案方法のフローチャートの一例を示す。図２に示すように、まずメインサーバ１０は、購入予定者が選択した一つ以上の主要装備を示す信号を端末３０から取得する（ステップＳ０１）。またメインサーバ１０は、購入予定者が希望するリース期間を取得する（ステップＳ０２）。メインサーバ１０は次に、選択された主要装備が搭載されたまたは搭載可能なグレードをグレードデータベースから特定する（ステップＳ０３）。なお、ステップＳ０１〜ステップ０３の順番については、ステップ０１はステップ３よりも先であればよく、ステップ０２はどの順に処理してもよい。
なお、上記以外に、リース代金の頭金・ボーナス払い等、リース料金に関係する条件を取得するステップを設けてもよい。
【００１７】
図３は、グレードデータベースの一例を示す。グレードデータベースは、データサーバ２０に登録されている。図３に示すようにグレードデータベースは、車種と、車種毎に設定されている複数のグレードと、各々のグレードに設定されている車両価格と、表示順位と、主要装備とを含んでいる。
【００１８】
車種とは、カーメーカーが設定している車の名称である。例えばプリウス、ヴィッツ、フィット（登録商標）などである。
【００１９】
グレードとは、例えばプリウスやフィットなどの車種毎に設定されている仕様である。排気量、ドア数、変速機構、駆動方式、定員数、搭載されている主要装備、搭載可能な主要装備などによって車種毎に様々なグレードが設定されている。
【００２０】
車両価格とは、各々のグレードに設定されている価格である。これはカーメーカーが設定した標準料金であってもよく、リース販売会社やリース販売店が設定した価格でもよい。あるいは、該標準料金を例えば６０カ月で除して得られる標準リース代金であってもよい。標準リース代金とは、前記６０カ月に亘って標準的な契約で利用する時のリース代金である。
【００２１】
主要装備とは、車両に搭載される／あるいは車両に搭載可能な装備品あるいは機能である。主要装備とは例えば、オートライトシステム、クルーズコントロール、車線逸脱警報機能、先行車発進お知らせ機能、ハイビームアシスト、対車両自動ブレーキ、対歩行者自動ブレーキ、踏み間違防止アシスト、スマートエントリー、オートスライドドア、全面ＵＶカットガラス、オートエアコン、シートリフター、フロントベンチシート、助手席折り畳み機構、リヤシートリクライニング、リヤシートスライド、リヤシート折り畳み機構、運転席・助手席ヒーターシート、撥水シートなどがある。図３では、オートライト、クルーズコントロール、スマートエントリー、シートリフター、踏み間違い防止アシストが例示されている。
【００２２】
例えばクルーズコントロールと呼ばれる主要装備は、アクセルペダルを踏み続けることなく運転者が設定した速度を維持する機能である。カーメーカーによって同様の機能が異なる名称で呼ばれることがある。しかしながら、グレードデータベースでは、主要装備について名寄せを行って、同様の機能を有する主要装備は単一の項目にまとめている。または、名寄せを可能とするデータリストを準備しておくこともできる。
【００２３】
例えば、レーンキープアシストと呼ばれる、車線の逸脱を防止する機能が有る。これは、カーメーカーによって、レーンディパーチャープリベンション、レーンキープアシストシステム、レーン・キーピング・アシスト、レーン・ディパーチャー・アラート、アクティブレーンキープ、レーンアシスト、レーン・ディパーチャー・ウォーニング、レーンキープ・システムなどの名称で呼ばれている。これらは全てレーンキープアシストという単一の項目として、グレードデータベースに記録される。また、グレードデータベースに記録されているデータは名寄せされていないが、検索の過程で、例えば「レーンキープアシスト」を選択すれば、別途有する名寄せデータリストに従い、他の名称で保存されている、例えば、「レーンアシスト」を抽出するようにしておいてもよい。
【００２４】
図３の主要装備の欄に表示された○は該主要装備が該グレードに搭載されていることを示し、△は該主要装備が該グレードに搭載可能であることを示し、×は該主要装備が該グレードに搭載不可能であることを示している。
【００２５】
表示順位、主要装備毎に設定された搭載価格については後に説明する。
【００２６】
ステップＳ０１において、メインサーバ１０は端末３０から選択された主要装備としてオートライトとスマートエントリーを示す信号を取得したものとする。そこでステップＳ０３において、メインサーバ１０は、（オートライトが搭載されたグレードまたはオートライトが搭載可能なグレード）でかつ（スマートエントリーが搭載されたグレードまたはスマートエントリーが搭載可能なグレード）を含む車種を特定する。
【００２７】
図４は、メインサーバ１０がグレードデータベースから、（オートライトが搭載されたグレードまたはオートライトが搭載可能なグレード）でかつ（スマートエントリーが搭載されたグレードまたはスマートエントリーが搭載可能なグレード）を抽出した結果を示す。図４に示すように、グレードＡＡＡ−１，ＡＡＡ−２，ＡＡＡ−３，ＡＡＡ−４，ＣＣＣ−３がこの条件を満たす。これらのグレードは、車種ＡＡＡとＣＣＣに含まれている。そこでメインサーバ１０は、車種ＡＡＡ,ＣＣＣが、特定されたグレードを含む車種であると特定する。
【００２８】
図２に戻り、メインサーバ１０は、特定されたグレードを含む車種を出力する（ステップＳ０４）。上述したように、車種ＡＡＡ，ＣＣＣが特定されたグレードを含む車種である。メインサーバ１０は、車種ＡＡＡ，ＣＣＣを示す信号を含む信号を端末３０に出力する。図５は、本実施形態において端末３０に表示される画面の一例を示している。本実施形態においては、図５に示すように、特定されたグレードを含む車種ＡＡＡ，ＣＣＣと各々の車種の代表的なリース代金を端末３０に表示している。
【００２９】
上述したように本実施形態においてグレードデータベースは、車両価格を登録している。メインサーバ１０は、特定された車種ＡＡＡ，ＣＣＣに含まれているグレードのうち、車種毎に最も安い車両価格を特定する。
メインサーバ１０は、特定した最も安い車両価格と、ステップＳ０２で取得した希望するリース期間と、標準的なメンテナンス条件とを考慮して、特定された車種ＡＡＡ，ＣＣＣ毎にリース代金を算出する。メインサーバ１０は、特定された車種ＡＡＡ，ＣＣＣと、算出した車種ＡＡＡ，ＣＣＣ毎のリース代金とを示す信号を、端末３０に出力し、端末３０に表示させる。
【００３０】
ここでメンテナンス条件とは、例えば各種メンテナンスの有無に応じて定まる条件である。リース販売会社はリース車両の各種のメンテナンスを行う契約をリース利用者と締結するのが一般的である。例えばメンテナンス条件として、全てのメンテナンスを無償で受けられるメンテナンス条件Ａ、一部のメンテナンスを無償で受けられるメンテナンス条件Ｂ、全てのメンテナンスを有償で受けるメンテナンス条件Ｃを設定することができる。ここではメンテナンス条件Ａが最も多くのユーザが採用されている一般的なメンテナンス条件であるとする。そこで本実施形態では、メンテナンス条件Ａが標準的なメンテナンス条件として設定されているが、もっとも安価なメンテナンス条件Ｃなど、適宜設定すればよい。
【００３１】
例えば車種ＡＡＡのうちで、車両価格が最も安いグレードはＡＡＡ−４である。そこで、車種ＡＡＡについて、グレードＡＡＡ−４の車両価格と、希望するリース期間と、標準的なメンテナンス条件Ａとを用いて、車種ＡＡＡのリース代金を算出する。メインサーバ１０は、メンテナンス条件Ａのリース代金（基本月額費用）＋（車種ＡＡＡの車両価格）／（希望するリース期間）を、車種ＡＡＡのリース代金として算出し、端末３０に出力する。
次に車種ＣＣＣのうちで、車両価格が最も安いグレードはＣＣＣ−３である。そこで、車種ＣＣＣについて、グレードＣＣＣ−３の車両価格と、希望するリース期間と、標準的なメンテナンス条件とを用いて、車種ＣＣＣのリース代金を算出する。メインサーバ１０は、メンテナンス条件Ａのリース代金（基本月額費用）＋（車種ＣＣＣの車両価格）／（希望するリース期間）を、車種ＣＣＣのリース代金として算出し、端末３０に出力する。なお、リース代金については、頭金等を考慮して算出してもよい。また上述したリース代金の計算方法は単なる例示である。リース代金は金利などを考慮して計算してもよい。
このようにして算出した車種ＡＡＡのリース代金と、車種ＣＣＣのリース代金とを併せて、メインサーバ１０は図５のように端末３０に表示させる。
【００３２】
このように、本実施形態に係る車両の提案方法によれば、リース販売員は、購入予定者が希望する主要装備品が搭載された／搭載可能なグレードを含む車種を簡単に取得することができる。
近年、様々な便利な機能や装備品が開発されている。そこで車両の取得を検討している購入予定者も、特定の機能を搭載した車両を取得したいと考えることが多くなってきている。特に車にそれほど関心のない購入予定者にとっては、車の種類が膨大にありすぎるので、自分の欲しい特定の主要装備（特定の機能）を搭載している車種の中から、好みの外観の車種や値段を考慮して購入する車両を特定する、といった購入の経緯を辿ることがある。そこでリース販売員は、特定の主要装備を搭載している車種あるいは特定の主要装備を搭載可能な車種を、購入予定者に提示することが求められる。
【００３３】
しかしながら、車種に設定されるグレードは多数あり、また、フルモデルチェンジやマイナーチェンジの度にグレードが一新されることもあり、全ての車種についてグレードを覚えることはリース販売員にとっても困難である。そこで本実施形態においては、リース販売員は、グレードデータベースを用いて購入予定者が望む主要装備を搭載している／または搭載可能なグレードを含む車種を知ることができる。これにより、リース販売員がグレードと主要装備との関係を暗記していなくても、購入予定者に効率的に好みの車種を提示することができる。
【００３４】
また、購入予定者にとっては、まず欲しい主要装備が搭載されている／搭載可能な車種が絞り込まれるので、購入を検討する車種を絞り込むことができる。本実施形態においては、車種とともにリース代金の概算を把握することができるため、購入予定者は主要装備と価格とを考慮して購入する車種を決定することができる。
【００３５】
なお、端末３０は、リース販売員のみが閲覧するようにしてもよいし、リース販売員が購入予定者に端末３０の画面を見せたり、端末３０から情報をプリントアウトするように構成してもよい。購入予定者に端末３０を閲覧させる／端末３０からのプリントアウトを閲覧させる場合は、メインサーバ１０は、ステップＳ０４において特定された車種毎に、該車種の代表的な写真を端末３０に出力してもよい。これにより、購入予定者は車種と外観とを考慮して購入する車種を決定することができる。
【００３６】
次に、特定の主要装備が搭載された／搭載可能なグレードを含む車種ＡＡＡ，ＣＣＣのうち、購入予定者が車種ＡＡＡを気に入ったものとする。そこで本実施形態のメインサーバ１０は、車種ＡＡＡのグレードについて詳細な情報を提供するように構成されている。図５の表示例において、購入予定者が車種ＡＡＡの欄をクリックするなどして端末３０から車種ＡＡＡを選択する信号がメインサーバ１０に送信されると、メインサーバ１０は、購入予定者が選択した車種ＡＡＡと、この車種ＡＡＡに属する一つ以上のグレードを示す信号を端末３０に出力し、図６に示した画面を端末３０に表示させる。
【００３７】
図６は、車種ＡＡＡに含まれるグレードについて表示順位の高い順に３つのグレードを端末３０に表示したものである。本表示例によって、特定された車種に含まれるグレードの具体的な例を示すことができ、より詳細に検討しようとする購入予定者の希望に応えることができる。
【００３８】
なお図６とは異なり、車種ＡＡＡに含まれる全てのグレードを端末３０に表示させるようにメインサーバ１０を構成してもよい。しかしながら、車種に含まれるグレードの数は、車種によっては５０程度になることもあるため、本実施形態においては、車種毎にグレードに表示順位が定め、表示順位の高い順に３つのグレードを表示している。
【００３９】
メインサーバ１０は、図６に示すように、表示順位の順にグレードと、該グレードに搭載されている／搭載可能な／搭載不可能な主要装備を端末３０に表示させる。なお、本実施形態では表示順位は一位から三位までを設定しているが、一位から十位まで設定してもよい。表示順位に従って表示する数は任意である。また、表示順位は、売れ筋順、燃費順、価格順など本システム１の運営者が定める任意の順番に設定することができる。
【００４０】
ここで、端末３０に出力されるグレードには、購入予定者が選択した主要装備が搭載不可能なグレードが含まれていてもよい。例えば、リース販売員が薦めるグレードを購入予定者に選択・検討してもらうためである。
もっとも、図６とは異なり、購入予定者が選択した主要装備を搭載している／搭載可能なグレードのみを端末３０に表示させてもよい。
【００４１】
図６では表示順位に基づいてグレードを表示するように構成したが、購入予定者が選択した主要装備が搭載された／搭載可能なグレードを含む車種に設定されている全てのグレードを端末３０に表示するように構成してもよい。
また、選択された車種について、特定の主要装備を追加して検索可能に構成してもよい。例えばオートライトとスマートエントリーを搭載している／搭載可能なグレードを含む車種として車種ＡＡＡを特定した後に、該車種のうちで他の主要装備であるオートクルーズを搭載している／搭載可能なグレードを表示するように構成されていてもよい。
【００４２】
また図６に示すように、本実施形態においては、各々のグレードについてリース代金を表示する。メインサーバ１０は、標準メンテナンス条件と、ステップＳ０２で取得したリース期間と、グレードデータベースから取得した車両価格とに基づいて、各々のグレードについてリース代金を算出し、端末３０に出力させる。リース代金は、標準的なメンテナンス条件に応じたリース代金（基本月額費用）＋（各々のグレードの車両価格）／（希望するリース期間）として算出することができる。なお、リース代金について、頭金等を考慮して算出してもよい。
【００４３】
また、図６に示した表示例においてグレードＡＡＡ−４をリースする場合に、スマートエントリーを搭載する場合にはリース代金に加算料金*,***が発生することを表示している。これは、図３に示したグレードデータベースにおいてグレードＡＡＡ−４には、スマートエントリーの搭載価格が***,***と設定されている。そこでメインサーバ１０は、スマートエントリーの搭載価格を希望するリース期間で除して、月々の加算料金を算出し、端末３０に出力して表示させているが、固定のリース期間（例えば６０ヶ月）を適宜設定してもよい。
【００４４】
上述したシステム１は、購入予定者が車両のリース購入をする際の車両の選択を支援する処理を実行する。さらに本システム１は、購入予定者が購入する車両を決定した後に、見積書を発行し、リースの申し込みの受付もすることもできる。図６に示した表示において、「見積書の発行」を示すボタンを表示させておいてもよい。
【００４５】
「見積書の発行」ボタンが押されたことを示す信号を端末３０からメインサーバ１０が取得したら、メインサーバ１０は、図７に示す見積もり作成画面を端末３０に表示させる。この見積もり作成画面には、車体色やカーナビなど各種オプション項目の選択、メンテナンス条件、頭金やボーナス払い、月間走行距離、契約期間などの各種リース契約に関する詳細項目などが表示されている。また、端末３０の画面には、「リース代金の計算」と「購入申し込み」を示すボタンが表示されている。
【００４６】
リース販売員または購入予定者がこれらの項目を入力し、「リース代金の計算」のボタンを押す。メインサーバ１０は、「リース代金の計算」が押されたことを示す信号を取得したら、これらの項目の情報を示す信号を端末３０から取得する。メインサーバ１０は、これらの入力に基づいてより正確なリース代金を算出し、端末３０に表示させる。
【００４７】
なお図７に示したオプション費用（フリー）とは、リース販売員が入力する項目である。例えばリース販売員またはリース販売店が提携しているディーラーがある主要装備について割引販売を行っている場合には、該主要装備について基本料金ではなく該割引価格で加算料金を算出することができる。このため、この見積書の作成画面でリース販売員が割引価格を設定できる際にはこの欄を使って割引価格を入力することができる。
【００４８】
メインサーバ１０は、「購入申し込み」を示すボタンが押されたことを示す信号を取得したら、図８に示す購入申し込み用の画面を端末３０に出力する。メインサーバ１０は、購入申し込み用の画面に購入予定者の氏名や住所などの個人情報を入力する項目を表示させ、個人情報を端末３０から取得する。このようにしてメインサーバ１０は、購入予定者の個人情報と、購入予定のグレードと、リース契約の詳細とを取得して、申し込みを受け付ける。このように正確にリース代金を見積もる際にメインサーバ１０がグレードデータベースと接続されているため、メインサーバ１０は簡単にリース代金を見積もることができる。
【００４９】
なお上述した本実施形態では、選択可能な複数のメンテナンス条件が設定された態様を説明したが、メンテナンス条件の設定がなくてもよい。この場合、希望するメンテナンス条件についての信号を端末３０から取得することなく、メインサーバ１０は、メンテナンス条件と、リース期間と、グレード毎の車両価格とに基づいて、リース代金を算出することができる。
【００５０】
なお、上述した実施形態では、車両のリース購入にあたって購入予定者の車両の選択を支援する場合を説明したが、本発明はこれに限られない。本システムを用いれば、車両を保有する形態の一般的な購入する際にも、車両の選択を支援することができる。
【００５１】
また、上述した実施形態では、リース販売員がリース販売店やサービスステーションに設置された端末を利用して購入予定者に車両を提案する形態を説明したが、本発明はこの形態に限らない。端末は購入予定者によって操作可能であってもよい。また、端末はリース販売店やサービスステーションに設置されていなくてもよく、購入予定者の携帯電話やタブレット端末、パーソナルコンピュータであってもよい。
【００５２】
なお、上述した実施形態では、メインサーバ１０と端末３０とが離れた場所に設けられてネットワークで接続された例を説明したが、本発明はこれに限られない。ハードディスクなどの記録装置と、ＣＰＵなどの処理部を備えたパーソナルコンピュータなどによって本発明の方法を実施することができる。
複数のメーカーから提供される複数の車種と、前記車種毎に設定されたグレードと、前記グレード毎に搭載された主要装備と搭載可能な主要装備とが登録されたグレードデータベースが記録された記録装置と、
購入予定者が選択した一つ以上の主要装備を示す信号を端末から取得する取得部と、
前記データベースから、選択された主要装備が搭載されたまたは搭載可能な一つ以上の前記グレードを特定する特定部と、
特定された前記グレードを含む前記車種を示す信号を前記端末に出力する出力部と、を備えた車両の提案装置が提供される。
この場合、ハードディスクが記録装置に該当し、処理部が取得部、特定部、出力部に該当する。
【００５３】
以上、本発明の実施形態について説明をしたが、本発明の技術的範囲が本実施形態の説明によって限定的に解釈されるべきではないのは言うまでもない。本実施形態は単なる一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【符号の説明】
【００５４】
１  車両管理装置
１０  メインサーバ
１１  プロセッサ
１２  記録手段
２０  データサーバ
３０  端末
【図１】
2020035164.tif 000003
【図２】
2020035164.tif 000004
【図３】
2020035164.tif 000005
【図４】
2020035164.tif 000006
【図５】
2020035164.tif 000007
【図６】
2020035164.tif 000008
【図７】
2020035164.tif 000009
【図８】
2020035164.tif 000010
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
複数のカーメーカーから提供される複数の車種と、前記車種毎に設定されたグレードと、前記グレード毎に搭載された主要装備と搭載可能な主要装備とが登録されたグレードデータベースを用いた、車両の提案方法であって、
購入予定者が選択した一つ以上の前記主要装備を示す信号を端末から取得し、
前記グレードデータベースから、選択された前記主要装備が搭載されたまたは搭載可能な一つ以上の前記グレードを特定し、
特定された前記グレードを含む前記車種を示す信号を前記端末に出力し、
前記端末に、前記車種と、前記車種に属する一つ以上の前記グレードとを示す信号を出力し
前記端末に出力する一つ以上の前記グレードは、前記購入予定者が選択した前記主要装備が搭載されていないまたは搭載不可能な前記グレードを含んでいる、車両の提案方法。
【請求項２】
前記グレードデータベースには車両価格が登録されており、
購入予定者が予定しているリース期間を取得し、
特定された前記グレードを含む前記車種に含まれる各々の前記グレードの前記車両価格のうちから最安値を前記車種毎に特定し、
前記最安値と前記リース期間とから所定期間に要するリース代金を算出し、
特定された前記グレードを含む前記車種と前記リース代金とを示す信号を前記端末に出力する、請求項１に記載の車両の提案方法。
【請求項３】
前記グレードデータベースには、前記グレードの表示順位が登録されており、
前記端末には、前記表示順位に従って所定の数の前記グレードを示す信号が出力される、請求項１に記載の車両の提案方法。
【請求項４】
前記端末に、前記車種と、前記車種に属する一つ以上の前記グレードと、前記グレードに搭載される前記主要装備および搭載可能な前記主要装備を出力する、請求項１に記載の車両の提案方法。
【請求項５】
前記グレードデータベースには車両価格が登録されており、
購入予定者が予定しているリース期間を取得し、
前記端末に、前記車種と、前記車種に属する一つ以上の前記グレードと、前記グレードの前記車両価格と前記リース期間とから算出したリース代金とを示す信号を出力する、請求項１に記載の車両の提案方法。
【請求項６】
前記グレードデータベースには、搭載可能な前記主要装備を搭載する際の搭載価格が登録されており、
前記端末に、前記車種と、前記車種に属する一つ以上の前記グレードと、前記リース代金と、前記搭載価格と前記リース期間とから算出される加算料金を示す信号を出力する、請求項５に記載の車両の提案方法。
【請求項７】
購入予定者の氏名および住所を取得し、
前記購入予定者が見積もりを希望する前記グレードを取得し、
見積もりを希望する前記グレードと前記購入予定者の氏名および住所と前記グレードデータベースを用いて、見積もりを出力する、請求項１に記載の車両の提案方法。
【請求項８】
複数のメーカーから提供される複数の車種と、前記車種毎に設定されたグレードと、前記グレード毎に搭載された主要装備と搭載可能な主要装備とが登録されたグレードデータベースが記録された記録装置と、
購入予定者が選択した一つ以上の主要装備を示す信号を端末から取得する取得部と、
前記グレードデータベースから、選択された主要装備が搭載されたまたは搭載可能な一つ以上の前記グレードを特定する特定部と、
特定された前記グレードを含む前記車種を示す信号を前記端末に出力する出力部と、を備え、
前記出力部は、前記端末に、前記車種と、前記車種に属する一つ以上の前記グレードとを示す信号を出力し、
前記端末に出力する一つ以上の前記グレードは、前記購入予定者が選択した前記主要装備が搭載されていないまたは搭載不可能な前記グレードを含んでいる、車両の提案装置。
【請求項９】
複数のメーカーから提供される複数の車種と、前記車種毎に設定されたグレードと、前記グレード毎に搭載された主要装備と搭載可能な主要装備とが登録されたグレードデータベースを用いた、車両の提案システムであって、
購入予定者が選択した一つ以上の主要装備を示す信号を端末から取得し、
前記グレードデータベースから、選択された主要装備が搭載されたまたは搭載可能な一つ以上の前記グレードを特定し、
特定された前記グレードを含む前記車種を示す信号を前記端末に出力し、
前記端末に、前記車種と、前記車種に属する一つ以上の前記グレードとを示す信号を出力し、
前記端末に出力する一つ以上の前記グレードは、前記購入予定者が選択した前記主要装備が搭載されていないまたは搭載不可能な前記グレードを含んでいる、車両の提案システム。
【請求項１０】
複数のメーカーから提供される複数の車種と、前記車種毎に設定されたグレードと、前記グレード毎に搭載された主要装備と搭載可能な主要装備とが登録されたグレードデータベースと、コンピュータ可読命令を実行可能なプロセッサと、コンピュータ可読命令を記録するメモリとを用いた、車両の提案方法を実行するプログラムであって、
前記プログラムは、前記プロセッサによって実行されると、
購入予定者が選択した一つ以上の主要装備を示す信号を端末から取得させ、
前記グレードデータベースから、選択された主要装備が搭載されたまたは搭載可能な一つ以上の前記グレードを特定させ、
特定された前記グレードを含む前記車種を示す信号を前記端末に出力させ、
前記端末に、前記車種と、前記車種に属する一つ以上の前記グレードとを示す信号を出力し、
前記端末に出力する一つ以上の前記グレードは、前記購入予定者が選択した前記主要装備が搭載されていないまたは搭載不可能な前記グレードを含んでいる、車両の提案プログラム。